(57)【特許請求の範囲】
【請求項１】
払拭面を拭うブレードラバーと、前記ブレードラバーを保持するブレードレバーと、前記ブレードレバーに形成された相対向する一対の側壁の中央部に回動可能に連結されたクリップ部材とを有するワイパブレードと、
往復回動するピボット軸が固定されるピボット軸取付孔を基端部に持つアームヘッドと、前記アームヘッドの先端部に基端部が回動可能に連結されたリテーナと、前記リテーナに固定されるとともに、先端に前記クリップ部材に装着されるワイパブレード装着部が形成されたアームピースとを有するワイパアームと、
前記アームヘッドと前記アームピースとの間に張設され、前記アームピースおよび前記ブレードレバーを介して前記ブレードラバーを前記払拭面の方向に付勢するアームスプリングとを備えたワイパ装置であって、
前記ブレードレバーには、ワイパブレード装着部が挿入されるアーム差込孔が形成された天板と、前記天板の両側部から下方に延びる相対向する一対の側壁と、前記一対の側壁に架橋されたブレードピンとを有し、
前記クリップ部材には、前記相対向する一対の側壁に沿って長手方向に延びる相対向する一対の側板と、前記一対の側板の中央部間に亘って形成され、前記ブレードピンに係合して該クリップ部材を前記ブレードレバーに回動可能に連結させるピン係合部と、前記ピン係合部から前記アームピースの基端部方向に延び該アームピースの下面に当接するベースと、前記ピン係合部から前記ベースと所定の間隔を置いて該ベース方向に延びていて弾性を有する舌片状部と、前記舌片状部の中間部から下方に突出するアーム係止部とを有し、前記ワイパブレード装着部は、前記アームピースの先端を折り曲げて形成されており、該アームピースと同一面を形成するとともに前記クリップ部材の一対の側板間に緊密に配置される第１の板部およびこの第１の板部に対向して形成される第２の板部と、前記第２の板部の先端近傍に形成され前記クリップ部材のアーム係止部を嵌入する嵌入孔と、前記第１の板部と前記第２の板部の折り曲げ部と前記嵌入孔との中間に形成され該嵌入孔に前記アーム係止部が嵌入された際に前記クリップ部材のピン係合部に当接してクリップ部材との相対的な移動を阻止するストッパ部とを有し、
前記ストッパ部は、前記第２の板部の中央を重ね合わせるように折り曲げることにより前記第１の板部に向かって突出し該第１の板部に当接するように形成されていることを特徴とするワイパ装置。
【請求項２】
払拭面を拭うブレードラバーと、前記ブレードラバーを保持するブレードレバーと、前記ブレードレバーに形成された相対向する一対の側壁の中央部に回動可能に連結されたクリップ部材とを有するワイパブレードと、
往復回動するピボット軸が固定されるピボット軸取付孔を基端部に持つアームヘッドと、前記アームヘッドの先端部に基端部が回動可能に連結されたリテーナと、前記リテーナに固定されるとともに、先端に前記クリップ部材に装着されるワイパブレード装着部が形成されたアームピースとを有するワイパアームと、
前記アームヘッドと前記アームピースとの間に張設され、前記アームピースおよび前記ブレードレバーを介して前記ブレードラバーを前記払拭面の方向に付勢するアームスプリングとを備えたワイパ装置であって、
前記ブレードレバーには、ワイパブレード装着部が挿入されるアーム差込孔が形成された天板と、前記天板の両側部から下方に延びる相対向する一対の側壁と、前記一対の側壁に架橋されたブレードピンとを有し、
前記クリップ部材には、前記相対向する一対の側壁に沿って長手方向に延びる相対向する一対の側板と、前記一対の側板の中央部間に亘って形成され、前記ブレードピンに係合して該クリップ部材を前記ブレードレバーに回動可能に連結させるピン係合部と、前記ピン係合部から前記アームピースの基端部方向に延び該アームピースの下面に当接するベースと、前記ピン係合部から前記ベースと所定の間隔を置いて該ベース方向に延びていて弾性を有する舌片状部と、前記舌片状部の中間部から下方に突出するアーム係止部とを有し、前記ワイパブレード装着部は、前記アームピースの先端を折り曲げて形成されており、該アームピースと同一面を形成するとともに前記クリップ部材の一対の側板間に緊密に配置される第１の板部およびこの第１の板部に対向して形成される第２の板部と、前記第２の板部の先端近傍に形成され前記クリップ部材のアーム係止部を嵌入する嵌入孔と、前記第１の板部と前記第２の板部の折り曲げ部と前記嵌入孔との中間に形成され該嵌入孔に前記アーム係止部が嵌入された際に前記クリップ部材のピン係合部に当接してクリップ部材との相対的な移動を阻止するストッパ部とを有し、
前記ストッパ部は、前記第１の板部の中央を重ね合わせるように折り曲げることにより前記第２の板部に向かって突出し該第２の板部に当接するように形成されていることを特徴とするワイパ装置。
【請求項３】
払拭面を拭うブレードラバーと、前記ブレードラバーを保持するブレードレバーと、前記ブレードレバーに形成された相対向する一対の側壁の中央部に回動可能に連結されたクリップ部材とを有するワイパブレードと、
往復回動するピボット軸が固定されるピボット軸取付孔を基端部に持つアームヘッドと、前記アームヘッドの先端部に基端部が回動可能に連結されたリテーナと、前記リテーナに固定されるとともに、先端に前記クリップ部材に装着されるワイパブレード装着部が形成されたアームピースとを有するワイパアームと、
前記アームヘッドと前記アームピースとの間に張設され、前記アームピースおよび前記ブレードレバーを介して前記ブレードラバーを前記払拭面の方向に付勢するアームスプリングとを備えたワイパ装置であって、
前記ブレードレバーには、ワイパブレード装着部が挿入されるアーム差込孔が形成された天板と、前記天板の両側部から下方に延びる相対向する一対の側壁と、前記一対の側壁に架橋されたブレードピンとを有し、
前記クリップ部材には、前記相対向する一対の側壁に沿って長手方向に延びる相対向する一対の側板と、前記一対の側板の中央部間に亘って形成され、前記ブレードピンに係合して該クリップ部材を前記ブレードレバーに回動可能に連結させるピン係合部と、前記ピン係合部から前記アームピースの基端部方向に延び該アームピースの下面に当接するベースと、前記ピン係合部から前記ベースと所定の間隔を置いて該ベース方向に延びていて弾性を有する舌片状部と、前記舌片状部の中間部から下方に突出するアーム係止部とを有し、前記ワイパブレード装着部は、前記アームピースの先端を折り曲げて形成されており、該アームピースと同一面を形成するとともに前記クリップ部材の一対の側板間に緊密に配置される第１の板部およびこの第１の板部に対向して形成される第２の板部と、前記第２の板部の先端近傍に形成され前記クリップ部材のアーム係止部を嵌入する嵌入孔と、前記第１の板部と前記第２の板部の折り曲げ部と前記嵌入孔との中間に形成され該嵌入孔に前記アーム係止部が嵌入された際に前記クリップ部材のピン係合部に当接してクリップ部材との相対的な移動を阻止するストッパ部とを有し、
前記ストッパ部は、前記第２の板部の中央を重ね合わせるように折り曲げることにより前記第１の板部に向かって突出するとともに、該第１の板部の中央を重ね合わせるように折り曲げることにより該第２の板部に向かって突出し、互いに当接するように形成されていることを特徴とするワイパ装置。
【請求項４】
払拭面を拭うブレードラバーと、前記ブレードラバーを保持するブレードレバーと、前記ブレードレバーに形成された相対向する一対の側壁の中央部に回動可能に連結されたクリップ部材とを有するワイパブレードと、
往復回動するピボット軸が固定されるピボット軸取付孔を基端部に持つアームヘッドと、前記アームヘッドの先端部に基端部が回動可能に連結されたリテーナと、前記リテーナに固定されるとともに、先端に前記クリップ部材に装着されるワイパブレード装着部が形成されたアームピースとを有するワイパアームと、
前記アームヘッドと前記アームピースとの間に張設され、前記アームピースおよび前記ブレードレバーを介して前記ブレードラバーを前記払拭面の方向に付勢するアームスプリングとを備えたワイパ装置であって、
前記ブレードレバーには、ワイパブレード装着部が挿入されるアーム差込孔が形成された天板と、前記天板の両側部から下方に延びる相対向する一対の側壁と、前記一対の側壁に架橋されたブレードピンとを有し、
前記クリップ部材には、前記相対向する一対の側壁に沿って長手方向に延びる相対向する一対の側板と、前記一対の側板の中央部間に亘って形成され、前記ブレードピンに係合して該クリップ部材を前記ブレードレバーに回動可能に連結させるピン係合部と、前記ピン係合部から前記アームピースの基端部方向に延び該アームピースの下面に当接するベースと、前記ピン係合部から前記ベースと所定の間隔を置いて該ベース方向に延びていて弾性を有する舌片状部と、前記舌片状部の中間部から下方に突出するアーム係止部とを有し、前記ワイパブレード装着部は、前記アームピースの先端を折り曲げて形成されており、該アームピースと同一面を形成するとともに前記クリップ部材の一対の側板間に緊密に配置される第１の板部およびこの第１の板部に対向して形成される第２の板部と、前記第２の板部の先端近傍に形成され前記クリップ部材のアーム係止部を嵌入する嵌入孔と、前記第１の板部と前記第２の板部の折り曲げ部と前記嵌入孔との中間に形成され該嵌入孔に前記アーム係止部が嵌入された際に前記クリップ部材のピン係合部に当接してクリップ部材との相対的な移動を阻止するストッパ部とを有し、
前記第２の板部を中央から略クランク状に折り曲げ、この略クランク状折曲部を前記第１の板部に当接するように形成し、該略クランク状折曲部を前記ストッパ部としたことを特徴とするワイパ装置。
【請求項５】
払拭面を拭うブレードラバーと、前記ブレードラバーを保持するブレードレバーと、前記ブレードレバーに形成された相対向する一対の側壁の中央部に回動可能に連結されたクリップ部材とを有するワイパブレードと、
往復回動するピボット軸が固定されるピボット軸取付孔を基端部に持つアームヘッドと、前記アームヘッドの先端部に基端部が回動可能に連結されたリテーナと、前記リテーナに固定されるとともに、先端に前記クリップ部材に装着されるワイパブレード装着部が形成されたアームピースとを有するワイパアームと、
前記アームヘッドと前記アームピースとの間に張設され、前記アームピースおよび前記ブレードレバーを介して前記ブレードラバーを前記払拭面の方向に付勢するアームスプリングとを備えたワイパ装置であって、
前記ブレードレバーには、ワイパブレード装着部が挿入されるアーム差込孔が形成された天板と、前記天板の両側部から下方に延びる相対向する一対の側壁と、前記一対の側壁に架橋されたブレードピンとを有し、
前記クリップ部材には、前記相対向する一対の側壁に沿って長手方向に延びる相対向する一対の側板と、前記一対の側板の中央部間に亘って形成され、前記ブレードピンに係合して該クリップ部材を前記ブレードレバーに回動可能に連結させるピン係合部と、前記ピン係合部から前記アームピースの基端部方向に延び該アームピースの下面に当接するベースと、前記ピン係合部から前記ベースと所定の間隔を置いて該ベース方向に延びていて弾性を有する舌片状部と、前記舌片状部の中間部から下方に突出するアーム係止部とを有し、前記ワイパブレード装着部は、前記アームピースの先端を折り曲げて形成されており、該アームピースと同一面を形成するとともに前記クリップ部材の一対の側板間に緊密に配置される第１の板部およびこの第１の板部に対向して形成される第２の板部と、前記第２の板部の先端近傍に形成され前記クリップ部材のアーム係止部を嵌入する嵌入孔と、前記第１の板部と前記第２の板部の折り曲げ部と前記嵌入孔との中間に形成され該嵌入孔に前記アーム係止部が嵌入された際に前記クリップ部材のピン係合部に当接してクリップ部材との相対的な移動を阻止するストッパ部とを有し、
前記第１の板部と前記第２の板部の折り曲げ部から前記嵌入孔に至る距離の中間から該折り曲げ部にかけて前記第１の板部と前記第２の板部を密着させるようにそれぞれ折曲させて重ね合わせ、両折曲部をストッパ部としたことを特徴とするワイパ装置。
【発明の詳細な説明】
【０００１】
【発明の属する技術分野】
この発明は、払拭面を拭うワイパブレードと、このワイパブレードを先端に装着するワイパアームとを備えたワイパ装置に関する。
【０００２】
【従来の技術】
この種のワイパ装置としては、アームヘッドの基端部がピボット軸に固定され、アームヘッドの先端部にリテーナが連結され、リテーナの先端部にアームピースが固定され、そのアームピースの先端部にＵ字形にしたブレード装着部が形成されているワイパアームが知られている。そして、ワイパブレードの中央部に設けられたピンにクリック部材が回動可能に連結され、クリップ部材に形成した相対向する一対の側板間にブレード装着部が配置され且つクリップ部材とブレード装着部の抜け止めを施すことによってワイパブレードがワイパアームに装着されていた。ワイパモータに通電されるとピボット軸が往復回動され、ワイパアームが払拭面上を往復で揺動され、ワイパアームに内蔵されたアームスプリングによってワイパブレードが払拭面に押し付けられながら、ワイパブレードが払拭面を往復で拭う。
【０００３】
【発明が解決しようとする課題】
ところが、前記のワイパアームでは、前記一対の側板間に配置されるブレード装着部の長手方向の寸法が短く、この為、一対の側板とブレード装着部の両側面間にがたつきが生じ、払拭動作中にワイパブレードのワイパジャダが発生して確実な視界の確保が難しくなるという問題点があった。
【０００４】
【発明の目的】
この発明は、ワイパジャダを防止することによって、確実な視界の確保を図れるワイパ装置を提供することを目的としている。
【０００５】
【発明の構成】
【０００６】
【課題を解決するための手段】
この発明の請求項１に係わるワイパ装置では、払拭面を拭うブレードラバーと、ブレードラバーを保持するブレードレバーと、ブレードレバーに形成された相対向する一対の側壁の中央部に回動可能に連結されたクリップ部材とを有するワイパブレードと、往復回動するピボット軸が固定されるピボット軸取付孔を基端部に持つアームヘッドと、アームヘッドの先端部に回動可能に連結されたリテーナと、リテーナに固定されるとともに、先端にクリップ部材に装着されるワイパブレード装着部が形成されたアームピースとを有するワイパアームと、アームヘッドとアームピースとの間に張設され、アームピースおよびブレードレバーを介してブレードラバーを払拭面の方向に付勢するアームスプリングとを備えたワイイパ装置であって、ブレードレバーには、ワイパブレード装着部が挿入されるアーム差込孔が形成された天板と、天板の両側部から下方に伸びる相対向する一対の側壁と、一対の側壁に架橋されたブレードピンとを有し、クリップ部材には、相対向する一対の側壁に沿って長手方向に延びる相対向する一対の側板と、この一対の側板の中央部間に亘って形成され、ブレードピンに係合して該クリップ部材をブレードレバーに回動可能に連結させるピン係合部と、ピン係合部からアームピースの基端部方向に延び該アームピースの下面に当接するベースと、ピン係合部からベースと所定の間隔を置いて該ベース方向に延びていて弾性を有する舌片状部と、舌片状部の中間部から下方に突出するアーム係止部とを有し、ワイパブレード装着部は、アームピースの先端を折り曲げて形成されており、該アームピースと同一面を形成するとともにクリップ部材の一対の側板間に緊密に配置される第１の板部およびこの第１の板部に対向して形成される第２の板部と、第２の板部の先端近傍に形成されクリップ部材のアーム係止部を嵌入する嵌入孔と、第１の板部と第２の板部の折り曲げ部と嵌入孔との中間に形成され嵌入孔にアーム係止部が嵌入された際にクリップ部材のピン係合部に当接してクリップ部材との相対的な移動を阻止するストッパ部とを有し、ストッパ部は、第２の板部の中央を重ね合わせるように折り曲げることにより第１の板部に向かって突出し該第１の板部に当接するように形成されている構成としたことを特徴としている。
【０００７】
この発明の請求項２に係るワイパ装置では、払拭面を拭うブレードラバーと、ブレードラバーを保持するブレードレバーと、ブレードレバーに形成された相対向する一対の側壁の中央部に回動可能に連結されたクリップ部材とを有するワイパブレードと、往復回動するピボット軸が固定されるピボット軸取付孔を基端部に持つアームヘッドと、アームヘッドの先端部に基端部が回動可能に連結されたリテーナと、リテーナに固定されるともに、先端にクリップ部材に装着されるワイパブレード装着部が形成されたアームピースとを有するワイパアームと、アームヘッドとアームピースとの間に張設され、アームピースおよびブレードレバーを介してブレードラバーを払拭面の方向に付勢するアームスプリングとを備えたワイパ装置であって、ブレードレバーには、ワイパブレード装着部が挿入されるアーム差込孔が形成された天板と、天板の両側部から下方に延びる相対向する一対の側壁と、一対の側壁に架橋されたブレードピンとを有し、クリップ部材には、相対向する一対の側壁に沿って長手方向に延びる相対向する一対の側板と、この一対の側板の中央部間に亘って形成され、ブレードピンに係合して該クリップ部材をブレードレバーに回動可能に連結させるピン係合部と、ピン係合部からアームピースの基端部方向に延び該アームピースの下面に当接するベースと、ピン係合部からベースと所定の間隔を置いて該ベース方向に延びていて弾性を有する舌片状部と、舌片状部の中間部から下方に突出するアーム係止部とを有し、ワイパブレード装着部は、アームピースの先端を折り曲げて形成されており、該アームピースと同一面を形成するとともにクリップ部材の一対の側板間に緊密に配置される第１の板部およびこの第１の板部に対向して形成される第２の板部と、第２の板部の先端近傍に形成されクリップ部材のアーム係止部を嵌入する嵌入孔と、第１の板部と第２の板部の折り曲げ部と嵌入孔との中間に形成され嵌入孔にアーム係止部が嵌入された際にクリップ部材のピン係合部に当接してクリップ部材との相対的な移動を阻止するストッパ部とを有し、ストッパ部は、第１の板部の中央を重ね合わせるように折り曲げることにより第２の板部に向かって突出し該第２の板部に当接するように形成されている構成としたことを特徴としている。
【０００８】
この発明の請求項３に係るワイパ装置では、払拭面を拭うブレードラバーと、ブレードラバーを保持するブレードレバーと、ブレードレバーに形成された相対向する一対の側壁の中央部に回動可能に連結されたクリップ部材とを有するワイパブレードと、往復回動するピボット軸が固定されるピボット軸取付孔を基端部に持つアームヘッドと、アームヘッドの先端部に基端部が回動可能に連結されたリテーナと、リテーナに固定されるとともに、先端に前記クリップ部材に装着されるワイパブレード装着部が形成されたアームピースとを有するワイパアームと、アームヘッドとアームピースとの間に張設され、アームピースおよびブレードレバーを介してブレードラバーを払拭面の方向に付勢するアームスプリングとを備えたワイパ装置であって、ブレードレバーには、ワイパブレード装着部が挿入されるアーム差込孔が形成された天板と、天板の両側部から下方に延びる相対向する一対の側壁と、一対の側壁に架橋されたブレードピンとを有し、クリップ部材には、相対向する一対の側壁に沿って長手方向に延びる相対向する一対の側板と、一対の側板の中央部間に亘って形成され、ブレードピンに係合してクリップ部材をブレードレバーに回動可能に連結させるピン係合部と、ピン係合部からアームピースの基端部方向に延びアームピースの下面に当接するベースと、ピン係合部からベースと所定の間隔を置いてベース方向に延びていて弾性を有する舌片状部と、舌片状部の中間部から下方に突出するアーム係止部とを有し、ワイパブレード装着部は、アームピースの先端を折り曲げて形成されており、アームピースと同一面を形成するとともにクリップ部材の一対の側板間に緊密に配置される第１の板部およびこの第１の板部に対向して形成される第２の板部と、第２の板部の先端近傍に形成されクリップ部材のアーム係止部を嵌入する嵌入孔と、第１の板部と第２の板部の折り曲げ部と嵌入孔との中間に形成され嵌入孔にアーム係止部が嵌入された際にクリップ部材のピン係合部に当接してクリップ部材との相対的な移動を阻止するストッパ部とを有し、ストッパ部は、第２の板部の中央を重ね合わせるように折り曲げることにより第１の板部に向かって突出するとともに、該第１の板部の中央を重ね合わせるように折り曲げることにより該第２の板部に向かって突出し、互いに当接するように形成されている構成としたことを特徴としている。
【０００９】
この発明の請求項４に係るワイパ装置では、払拭面を拭うブレードラバーと、ブレードラバーを保持するブレードレバーと、ブレードレバーに形成された相対向する一対の側壁の中央部に回動可能に連結されたクリップ部材とを有するワイパブレードと、往復回動するピボット軸が固定されるピボット軸取付孔を基端部に持つアームヘッドと、アームヘッドの先端部に基端部が回動可能に連結されたリテーナと、リテーナに固定されるとともに、先端に前記クリップ部材に装着されるワイパブレード装着部が形成されたアームピースとを有するワイパアームと、アームヘッドとアームピースとの間に張設され、アームピースおよびブレードレバーを介してブレードラバーを払拭面の方向に付勢するアームスプリングとを備えたワイパ装置であって、ブレードレバーには、ワイパブレード装着部が挿入されるアーム差込孔が形成された天板と、天板の両側部から下方に延びる相対向する一対の側壁と、一対の側壁に架橋されたブレードピンとを有し、クリップ部材には、相対向する一対の側壁に沿って長手方向に延びる相対向する一対の側板と、一対の側板の中央部間に亘って形成され、ブレードピンに係合して該クリップ部材をブレードレバーに回動可能に連結させるピン係合部と、ピン係合部からアームピースの基端部方向に延び該アームピースの下面に当接するベースと、ピン係合部からベースと所定の間隔を置いて該ベース方向に延びていて弾性を有する舌片状部と、舌片状部の中間部から下方に突出するアーム係止部とを有し、ワイパブレード装着部は、アームピースの先端を折り曲げて形成されており、該アームピースと同一面を形成するとともにクリップ部材の一対の側板間に緊密に配置される第１の板部およびこの第１の板部に対向して形成される第２の板部と、第２の板部の先端近傍に形成されクリップ部材のアーム係止部を嵌入する嵌入孔と、第１の板部と第２の板部の折り曲げ部と嵌入孔との中間に形成され該嵌入孔にアーム係止部が嵌入された際にクリップ部材のピン係合部に当接してクリップ部材との相対的な移動を阻止するストッパ部とを有し、第２の板部を中央から略クランク状に折り曲げ、この略クランク状折曲部を第１の板部に当接するように形成し、該略クランク状折曲部をストッパ部とした構成としたことを特徴としている。
【００１０】
この発明の請求項５に係るワイパ装置では、払拭面を拭うブレードラバーと、ブレードラバーを保持するブレードレバーと、ブレードレバーに形成された相対向する一対の側壁の中央部に回動可能に連結されたクリップ部材とを有するワイパブレードと、往復回動するピボット軸が固定されるピボット軸取付孔を基端部に持つアームヘッドと、アームヘッドの先端部に基端部が回動可能に連結されたリテーナと、リテーナに固定されるとともに、先端に前記クリップ部材に装着されるワイパブレード装着部が形成されたアームピースとを有するワイパアームと、アームヘッドとアームピースとの間に張設され、アームピースおよびブレードレバーを介してブレードラバーを払拭面の方向に付勢するアームスプリングとを備えたワイパ装置であって、ブレードレバーには、ワイパブレード装着部が挿入されるアーム差込孔が形成された天板と、天板の両側部から下方に延びる相対向する一対の側壁と、一対の側壁に架橋されたブレードピンとを有し、クリップ部材には、相対向する一対の側壁に沿って長手方向に延びる相対向する一対の側板と、一対の側板の中央部間に亘って形成され、ブレードピンに係合して該クリップ部材をブレードレバーに回動可能に連結させるピン係合部と、ピン係合部からアームピースの基端部方向に延び該アームピースの下面に当接するベースと、ピン係合部からベースと所定の間隔を置いて該ベース方向に延びていて弾性を有する舌片状部と、舌片状部の中間部から下方に突出するアーム係止部とを有し、ワイパブレード装着部は、アームピースの先端を折り曲げて形成されており、該アームピースと同一面を形成するとともにクリップ部材の一対の側板間に緊密に配置される第１の板部およびこの第１の板部に対向して形成される第２の板部と、第２の板部の先端近傍に形成されクリップ部材のアーム係止部を嵌入する嵌入孔と、第１の板部と第２の板部の折り曲げ部と嵌入孔との中間に形成され該嵌入孔にアーム係止部が嵌入された際にクリップ部材のピン係合部に当接してクリップ部材との相対的な移動を阻止するストッパ部とを有し、第１の板部と第２の板部の折り曲げ部から嵌入孔に至る距離の中間から該折り曲げ部にかけて第１の板部と第２の板部を密着させるようにそれぞれ折曲させて重ね合わせ、両折曲部をストッパ部とした構成としたことを特徴としている。
【００１１】
【発明の作用】
この発明の請求項１に係るワイパ装置において、ワイパブレード装着部は、アームピースの先端を折り曲げて形成されており、該アームピースのと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られる。また、ストッパ部は、第２の板部の中央を重ね合わせるように折り曲げることにより第１の板部に向かって突出し該第１の板部に当接するように形成されているので、構造が簡素なものになるとともに、該ストッパ部は、第１の板部と第２の板部間に位置するので、コンパクトなものになる。
【００１２】
この発明の請求項２に係るワイパ装置において、ワイパブレード装着部は、アームピースの先端を折り曲げて形成されており、該アームピースのと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られる。また、ストッパ部は、第１の板部の中央を重ね合わせるように折り曲げることにより第２の板部に向かって突出し該第２の板部に当接するように形成されているので、構造が簡素なものになるとともに、該ストッパ部は、第１の板部と第２の板部間に位置するので、コンパクトなものになる。
【００１３】
この発明の請求項３に係るワイパ装置において、ワイパブレード装着部は、アームピースの先端を折り曲げて形成されており、該アームピースのと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られる。また、ストッパ部は、第２の板部の中央を重ね合わせるように折り曲げることにより第１の板部に向かって突出するとともに、該第１の板部の中央を重ね合わせるように折り曲げることにより該第２の板部に向かって突出し、互いに当接するように形成されているので、構造が簡素なものになるとともに、該ストッパ部は、第１の板部と第２の板部間に位置するので、コンパクトなものになる。
【００１４】
この発明の請求項４に係るワイパ装置において、ワイパブレード装着部は、アームピースの先端を折り曲げて形成されており、該アームピースのと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られる。また、第２の板部を中央から略クランク状に折り曲げ、この略クランク状折曲部を第１の板部に当接するように形成し、該略クランク状折曲部をストッパ部としたので、このストッパ部は、構造が簡素なものになるとともに、第１の板部と第２の板部間に位置するので、コンパクトなものになる。
【００１５】
この発明の請求項５係るワイパ装置において、ワイパブレード装着部は、アームピースの先端を折り曲げて形成されており、該アームピースのと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られる。また、第１の板部と第２の板部の折り曲げ部から嵌入孔に至る距離の中間から該折り曲げ部にかけて第１の板部と第２の板部を密着させるようにそれぞれ折曲させて重ね合わせ、両折曲部をストッパ部としたので、このストッパ部は、構造が簡素なものになるとともに、第１の板部と第２の板部間に位置するので、コンパクトなものになる。
【００１６】
【発明の実施の形態】
【００１７】
【実施例】
図１ないし図４（ａ），（ｂ）には、この発明に係るワイパ装置の第１実施例が示されている。図示するワイパ装置に用いられるワイパアーム１は、主として、アームヘッド２、アームピース３が固定されたリテーナ４、アームスプリング５から構成されている。このアームピース３とリテーナ４とでアーム３４を構成している。本実施例において、アーム３４はアームピース３とリテーナ４を別体として形成したが、このアーム３４はアームピース３とリテーナ４を一体に形成しても良い。
【００１８】
アームヘッド２の基端部には、ピボット軸取付孔２ａが形成されている。このピボット軸取付孔２ａには、ワイパモータへの通電によって往復回動するピボット軸が固定される。アームヘッド２の先端部には、図２に示されるように、リテーナ連結孔２ｂが形成されている。リテーナ連結孔２ｂには、リテーナ４の基端部に固定されたリテーナピン６が回動可能に挿通されている。また、アームヘッド２の先端部には、フックピン２ｃが取付けられている。このフックピン２ｃは、フック７を介してアームスプリング５の基端部に連結されている。
【００１９】
リテーナ４の基端部には、リテーナピン６が配置されている。リテーナ４の先端部寄りには、アームピース３が加締めにより固定されている。アームピース３には、板状をなす金属製のアームピース本体部３ａが備えられている。このアームピース本体部３ａの基端部には、スプリング係止部３ｂが形成されている。スプリング係止部３ｂには、アームスプリング５の先端部が係止されている。アームスプリング５は、基端部がフック７を介してアームヘッド２のフックピン２ｃに連結され、先端部がアームピース３のスプリング係止部３ｂに連結されることによって、アームヘッド２に対しリテーナ４を図２中の下方向である払拭面方向に向けて付勢する機能をもつ。アームピース本体部３ａの先端部には、ワイパブレード装着部３ｃが形成されている。ワイパブレード装着部３ｃは、アームピース本体部３ａの先端部において図３（ｂ）中の下方向である払拭面方向に向け略Ｕ字状に折り曲げ加工されて形成されている。ワイパブレード装着部３ｃには、アームピース本体部３ａと同一面を形成する表面側の第１の板部３ｃ３と、この第１の板部３ｃ３に対向して配置された裏面側の第２の板部３ｃ４と、ストッパ部３ｃ２とが形成されている。第２の板部３ｃ４の先端近傍には、ワイパブレード１０のブレードレバー１０ｂに回動可能に連結される連結部１１ｅを有するクリップ部材１１に形成されたアーム係止部１１ａが嵌入される図３（ｄ）に示される角孔状の嵌入孔３ｃ６が形成されている。ストッパ部３ｃ２は、第２の板部３ｃ４の先端近傍に形成され、第１の板部３ｃ３に当接する突出寸法でもって該第１の板部３ｃ３に向けて突出している。このストッパ部３ｃ２は、第２の板部３ｃ４の中央を重ね合わせるように折り曲げることにより形成されている。
【００２０】
ワイパブレード１０は、図３（ａ）、（ｂ）に示されるように、払拭面を拭うブレードラバー１０ａと、該ブレードラバー１０ａを保持するブレードレバー１０ｂと、該ブレードレバー１０ｂに回動可能に連結されたクリップ部材１１とを有する。ブレードレバー１０ｂには、前記ワイパブレード装着部３ｃが挿入されるアーム差込孔１０ｅが形成された天板１０ｄと、この天板１０ｄの両側部から下方に延びる相対向する一対の側壁１０ｆ、１０ｇとを有する。この一対の側壁１０ｆ、１０ｇの中央部間に架橋されたブレードピン１２が固定されている。クリップ部材１１には、図４（ａ）、（ｂ）に示されるように、前記相対向する一対の側壁１０ｆ、１０ｇに沿って長手方向に延びる相対向する一対の側板１１ｂ、１１ｃと、この一対の側板１１ｂ、１１ｃの中央部間に亘って形成され前記ブレードピン１２に係合して該クリップ部材１１をブレードレバー１０ｂに回動可能に連結させる連結部としてのピン係合部１１ｅと、このピン係合部１１ｅから前記アームピース３の基端部方向に延び前記第１の板部３ｃ３の下面に当接するベース１１ｄと、ピン係合部１１ｅからベース１１ｄと所定の間隔を置いて該ベース１１ｄ方向に延びていて弾性を有する舌片状部１１ｆと、この舌片状部１１ｆの中間部から下方に向かって突出するアーム係止部１１ａとを有する。一対の側板１１ｂ、１１ｃ間の外側幅寸法は、前記一対の側壁１０ｆ、１０ｇ間の内側外形幅寸法よりもわずかに小さい。又、一対の側板１１ｂ、１１ｃ間の内側幅寸法は、前記第１の板部３ｃ３および第２の板部３ｃ４の外側幅寸法よりもわずかに大きく形成されており、該第１の板部３ｃ３および第２の板部３ｃ４は、一対の側板１１ｂ、１１ｃ間に緊密に配置される。一対の側板１１ｂ、１１ｃの長手方向の寸法は、前記アーム差込孔１０ｅの長手方向の寸法より若干小さく形成している。クリップ部材１１は、合成樹脂からなり、相対向する一対の側板１１ｂ、１１ｃと、連結部としてのピン係合部１１ｅと、舌片状部１１ｆおよびアーム係止部１１ａとがそれぞれ一体に形成されている。
【００２１】
前記ストッパ部３ｃ２は、第１の板部３ｃ３と第２の板部３ｃ４の折り曲げ部３ｃ５と嵌入孔３ｃ６との中間に形成され、該嵌入孔３ｃ６に前記アーム係止部１１ａが嵌入された際に前記クリップ部材１１のピン係合部１１ｅに当接して該クリップ部材１１との相対的な移動を阻止する機能を持つ。
【００２２】
このような構造をなすワイパ装置においてワイパアーム１にワイパブレード１０が装着されるに際し、アーム３４を構成するアームピース３のワイパブレード装着部３ｃがブレードレバー１０ｂのアーム差込孔１０ｅから図３（ｂ）中、左下方に差し込まれる。そして、ワイパブレード装着部３ｃが引き戻されると、ブレードレバー１０ｂの一対の側板１１ｂ、１１ｃ間に、第１の板部３ｃ３および第２の板部３ｃ４が係合するとともに該第１の板部３ｃ３と第２の板部３ｃ４との間にクリップ部材１１のベース１１ｄと舌片状部１１ｆとが入り込む。更にワイパブレード装着部３ｃが引き戻されることによって、該ワイパブレード装着部３ｃの嵌入孔３ｃ６にクリップ部材１１のアーム係止部１１ａが嵌入される。このとき、ワイパブレード装着部３ｃのストッパ部３ｃ２がクリップ部材１１のピン係合部１１ｅに当接する。その結果、ワイパブレード装着部３ｃとクリップ部材１１との相対的な移動が阻止され装着が完了する。ストッパ部３ｃ２を、第１の板部３ｃ３と第２の板部３ｃ４の折り曲げ部３ｃ５と嵌入孔３ｃ６との中間に形成しているとともに、ブレードレバー１０ｂの一対の側板１１ｂ、１１ｃに回動可能に連結される連結部としてのピン係合部１１ｅを、該一対の側板１１ｂ、１１ｃの中央部間に亘って形成しているので、前記一対の側板１１ｂ、１１ｃ間に緊密に配置される第１の板部３ｃ３および第２の板部３ｃ４の長手方向の寸法が長くなる。この為、一対の側板１１ｂ、１１ｃと第１の板部３ｃ３および第２の板部３ｃ４の両側面間のがたつきが非常に小さくなり、従って、払拭動作中にワイパブレード１０のワイパジャダが発生することが無く、良好な視界が得られる。
【００２３】
図５（ａ），（ｂ），（ｃ）には、この発明に係るワイパ装置の第２実施例が示されている。この場合、第１実施例と異なるワイパブレード装着部３ｃのみが説明され、他の部位は、第１実施例と同一にされている。
【００２４】
ワイパブレード装着部３ｃは、アームピース３の先端を折り曲げることにより形成されている。この場合のワイパブレード装着部３ｃは、第２の板部３ｃ４を中央から略クランク状に折り曲げ、このクランク状折曲部をストッパ部３ｃ２としている。このクランク状折曲部３ｃ２は、第１の板部３ｃ３に当接する突出寸法でもって該第１の板部３ｃ３に向けて突出して形成している。ワイパブレード装着部３ｃのその他の構成は、前述した第１実施例と同じであるため、その説明を省略する。また、ワイパアーム１とワイパブレード１０の装着も前述した第１実施例と同じであるため、その説明を省略する。
【００２５】
図６（ａ），（ｂ）には、この発明に係るワイパ装置の第３実施例が示されている。この場合、第１実施例と異なるワイパブレード装着部３ｃのみが説明され、他の部位は、第１実施例と同一にされている。
【００２６】
ワイパブレード装着部３ｃは、アームピース３の先端を略Ｕ字状に折り曲げることにより形成されている。この場合のストッパ部３ｃ２は、第１の板部３ｃ３の中央から第２の板部３ｃ４に当接する突出寸法でもって該第２の板部３ｃ４に向けて突出して形成している。また、このストッパ部３ｃ２は、第１の板部３ｃ３の中央を重ね合わせるように折り曲げることにより形成されている。ワイパブレード装着部３ｃのその他の構成は、前述した第１実施例と同じであるため、その説明を省略する。また、ワイパアーム１とワイパブレード１０の装着も前述した第１実施例と同じであるため、その説明を省略する。
【００２７】
図７（ａ），（ｂ）には、この発明に係るワイパ装置の第４実施例が示されている。この場合も、第１実施例と異なるワイパブレード装着部３ｃのみが説明され、他の部位は、第１実施例と同一にされている。
【００２８】
ワイパブレード装着部３ｃは、アームピース３の先端を折り曲げることにより形成されている。この場合、折り曲げ部３ｃ５から嵌入孔３ｃ６に至る距離の中間から該折り曲げ部３ｃ５にかけて第１の板部３ｃ３と第２の板部３ｃ４を密着させるようにそれぞれ折曲させて重ね合わせ、両折曲部をストッパ部３ｃ２とした。ワイパブレード装着部３ｃのその他の構成は、前述した第１実施例と同じであるため、その説明を省略する。また、ワイパアーム１とワイパブレード１０の装着も前述した第１実施例と同じであるため、その説明を省略する。
【００２９】
図８（ａ），（ｂ）には、この発明に係るワイパ装置の第５実施例が示されている。この場合も、第１実施例と異なるワイパブレード装着部３ｃのみが説明され、他の部位は、第１実施例と同一にされている。
【００３０】
ワイパブレード装着部３ｃは、アームピース３の先端を略Ｕ字状に折り曲げることにより形成されている。この場合のストッパ部３ｃ２は、第２の板部３ｃ４の中央から第１の板部３ｃ３に向かって突出するとともに、第１の板部３ｃ３の中央から第２の板部３ｃ４に向かって突出し、互いに当接するように形成されている。また、このストッパ部３ｃ２は、第１の板部３ｃ３と第２の板部３ｃ４のそれぞれ中央を重ね合わせるように折り曲げることにより形成されている。ワイパブレード装着部３ｃのその他の構成は、前述した第１実施例と同じであるため、その説明を省略する。また、ワイパアーム１とワイパブレード１０の装着も前述した第１実施例と同じであるため、その説明を省略する。
【００３１】
【発明の効果】
以上説明してきたように、この発明の請求項１に係るワイパ装置によれば、ワイパブレード装着部は、アームピースの先端を折り曲げて形成されており、該アームピースと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、該ストッパ部を、第１の板部と第２の板部の折り曲げ部と嵌入孔との中間に形成しているとともに、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られるという優れた効果を奏する。また、ストッパ部は、第２の板部の中央を重ね合わせるように折り曲げることにより第１の板部に向かって突出し該第１の板部に当接するように形成されているので、構造が簡素なものになるとともに、該ストッパ部は、第１の板部と第２の板部間に位置するので、コンパクトなものになる。
【００３２】
この発明の請求項２に係るワイパ装置によれば、ワイパブレード装着部は、アームピースの先端を折り曲げて形成されており、該アームピースと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、該ストッパ部を、第１の板部と第２の板部の折り曲げ部と嵌入孔との中間に形成しているとともに、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られるという優れた効果を奏する。また、ストッパ部は、第１の板部の中央を重ね合わせるように折り曲げることにより第２の板部に向かって突出し該第２の板部に当接するように形成されているので、構造が簡素なものになるとともに、該ストッパ部は、第１の板部と第２の板部間に位置するので、コンパクトなものになる。
【００３３】
この発明の請求項３に係るワイパ装置によれば、ワイパブレード装着部は、アームピースの先端を折り曲げて形成されており、該アームピースと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、該ストッパ部を、第１の板部と第２の板部の折り曲げ部と嵌入孔との中間に形成しているとともに、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られるという優れた効果を奏する。また、ストッパ部は、第２の板部の中央を重ね合わせるように折り曲げることにより第１の板部に向かって突出するとともに、該第１の板部の中央を重ね合わせるように折り曲げることにより該第２の板部に向かって突出し、互いに当接するように形成されているので、構造が簡素なものになるとともに、該ストッパ部は、第１の板部と第２の板部間に位置するので、コンパクトなものになる。
【００３４】
この発明の請求項４に係るワイパ装置によれば、ワイパブレード装着部は、アームピースの先端を折り曲げて形成されており、該アームピースと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、該ストッパ部を、第１の板部と第２の板部の折り曲げ部と嵌入孔との中間に形成しているとともに、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られるという優れた効果を奏する。また、第２の板部を中央から略クランク状に折り曲げ、この略クランク状折曲部を第１の板部に当接するように形成し、該略クランク状折曲部をストッパ部としたので、このストッパ部は、構造が簡素なものになるとともに、第１の板部と第２の板部間に位置するので、コンパクトなものになる。
【００３５】
この発明の請求項５に係るワイパ装置によれば、ワイパブレード装着部は、アームピースの先端を折り曲げて形成されており、該アームピースと同一面を形成するとともにクリップ部材の相対向する一対の側板間に緊密に配置される第１の板部およびこの第１の板部に対向して形成される第２の板部と、この第２の板部の先端近傍に形成され、前記クリップ部材に形成したアーム係止部を嵌入する嵌入孔と、前記第１の板部と前記第２の板部の折り曲げ部と前記嵌入孔との中間に形成されたストッパ部とを有し、該ストッパ部を、第１の板部と第２の板部の折り曲げ部と嵌入孔との中間に形成しているとともに、ブレードレバーに回動可能に連結されるクリップ部材のピン係合部を前記一対の側板の中央部間に亘って形成しているので、前記一対の側板間に緊密に配置される第１の板部および第２の板部の長手方向の寸法が長くなる。この為、一対の側板と第１の板部および第２の板部の両側面間のがたつきが非常に小さくなり、従って、払拭動作中にワイパブレードのワイパジャダが発生することが無く、良好な視界が得られるという優れた効果を奏する。また、第１の板部と第２の板部の折り曲げ部から嵌入孔に至る距離の中間から該折り曲げ部にかけて第１の板部と第２の板部を密着させるようにそれぞれ折曲させて重ね合わせ、両折曲部をストッパ部としたので、このストッパ部は、構造が簡素なものになるとともに、第１の板部と第２の板部間に位置するので、コンパクトなものになる。
【図面の簡単な説明】
【図１】  この発明に係るワイパ装置の第１実施例の平面図である。
【図２】  図１に示したワイパ装置の縦断正面図である。
【図３】（ａ）は図１に示したワイパ装置において要部を示す一部破断平面図、（ｂ）は（ａ）の縦断面図、（ｃ）は（ｂ）に示したワイパブレード装着部の正面図、（ｄ）は（ｃ）の外観斜視図である。
【図４】（ａ）は図１に示したワイパ装置に用いられたクリップ部材の平面図、（ｂ）は（ａ）の縦断面図である。
【図５】（ａ）はこの発明に係るワイパ装置の第２実施例においてのワイパブレード装着部での縦断面図、（ｂ）は（ａ）に示したワイパブレード装着部の正面図、（ｃ）は（ｂ）の外観斜視図である。
【図６】（ａ）はこの発明に係るワイパ装置の第３実施例においてのワイパブレード装着部での縦断面図、（ｂ）は（ａ）の底面図である。
【図７】（ａ）はこの発明に係るワイパ装置の第４実施例においてのワイパブレード装着部での縦断面図、（ｂ）は（ａ）の底面図である。
【図８】（ａ）はこの発明に係るワイパ装置の第５実施例においてのワイパブレード装着部での縦断面図、（ｂ）は（ａ）の底面図である。
【符号の説明】
１  ワイパアーム
２  アームヘッド
２ａ  ピボット軸取付孔
３  アームピース
３ｃ  ワイパブレード装着部
３ｃ２  ストッパ部
３ｃ３  第１の板部
３ｃ４  第２の板部
３ｃ５  折り曲げ部
３ｃ６  嵌入孔
４  リテーナ
５  アームスプリング
１０  ワイパブレード
１０ａ  ブレードラバー
１０ｂ  ブレードレバー
１０ｄ  天板
１０ｅ  アーム差込孔
１０ｆ  側壁
１０ｇ  側壁
１１  クリップ部材
１１ａ  アーム係止部
１１ｂ  側板
１１ｃ  側板
１１ｄ  ベース
１１ｅ  ピン係合部
１１ｆ  舌片状部
１２  ブレードピン
３４  アーム
【図１】
0004085404.tif 000002
【図２】
0004085404.tif 000003
【図３】
0004085404.tif 000004
【図４】
0004085404.tif 000005
【図５】
0004085404.tif 000006
【図６】
0004085404.tif 000007
【図７】
0004085404.tif 000008
【図８】
0004085404.tif 000009